(57)【要約】【課題】二次電池をモータの電源として庭木バリカンを外部電源に接続することなく利用したり、バリカン本体を外部電源に接続して外部電源をモータの電源として利用したりでき、電池パックの二次電池の残容量が減少した場合にも庭木バリカンを利用できる庭木バリカンを提供する。【解決手段】バリカン本体１の電源となる電池パック６と、バリカン本体１を外部電源に接続するためのアダプターパック７を備え、バリカン本体１に電池パック６及びアダプターパック７のうち一方を選択的に取付可能とする。【選択図】        図１
2008086090.tif 000002
【特許請求の範囲】
【請求項１】
バリカン本体にバリカン刃を駆動するモータを内装し、該バリカン本体の電源となる電池パックと、バリカン本体を外部電源に接続するためのアダプターパックを備え、電池パックは二次電池と二次電池からの電力を出力する出力端子を備え、アダプターパックは外部電源に接続可能な外部電源接続端子と、外部電源からの電流を交流から直流に変換する整流回路と、外部電源からの電力を整流回路を介して出力する出力端子と、整流回路を冷却する冷却ファンを備え、バリカン本体に電池パック及びアダプターパックを着脱自在に取付け可能としたパック取付部を設け、該パック取付部に前記電池パック及びアダプターパックのうち一方を選択的に取付可能とし、パック取付部に同部に取付けた電池パック又はアダプターパックの出力端子に接続可能な本体側端子を設けて成ることを特徴とする庭木バリカン。
【請求項２】
前記アダプターパックの外面部にアダプター側空気流入口とアダプター側空気流出口を設け、アダプターパック内にアダプター側空気流入口とアダプター側空気流出口を連通せるアダプター側風路を形成し、該アダプター側風路に冷却ファンと整流回路を配設し、バリカン本体の外郭を構成するハウジングに本体側空気流入口と本体側空気流出口を形成し、ハウジング内に本体側空気流入口と本体側空気流出口を連通せる本体側風路を形成し、該本体側風路内にモータを配設し、バリカン本体の本体側空気流出口と該バリカン本体のパック取付部に取付けたアダプターパックのアダプター側空気流入口とを連通させ、冷却ファンを運転した時に外気が本体側空気流入口、本体側風路、本体側空気流出口、アダプター側空気流入口を順に介してアダプター側風路に導入され、この空気がアダプター側空気流出口から流出するようにしたことを特徴とする請求項１に記載の庭木バリカン。
【請求項３】
前記バリカン本体の上部にグリップ部を形成すると共に該バリカン本体の下端にバリカン刃を設け、アダプターパックをパック取付部に取付けた状態でアダプターパックの下側を向く面部にアダプター側空気流出口を形成して成ることを特徴とする請求項２に記載の庭木バリカン。
【発明の詳細な説明】
【技術分野】
【０００１】
本発明は庭木を剪定するために用いられる庭木バリカンに関する。
【背景技術】
【０００２】
従来から特許文献１に示すようなバリカン刃を備えた庭木バリカンが利用されている。一般的な庭木バリカンは充電式であり、例えばバリカン本体に電源としての二次電池を備えた電池パックを着脱自在に取付けて利用される。しかしこのような充電式の庭木バリカンは二次電池の残容量が減少した場合に二次電池を備えた電池パックを商用電源等の外部電源に接続して充電する必要があり、この際は庭木バリカンを利用できず、作業効率が悪い。
【０００３】
また庭木バリカンの電源を商用電源などの外部電源とすることも考えられるが、この場合は庭木バリカンと外部電源とを電源コードで接続する必要があり、充電式のようにコードレスで利用することができない。
【特許文献１】特開平１０−８９３２２号公報
【発明の開示】
【発明が解決しようとする課題】
【０００４】
本発明は上記従来の問題点に鑑みて発明したものであって、二次電池をモータの電源として庭木バリカンを外部電源に接続することなく利用したり、バリカン本体を外部電源に接続して外部電源をモータの電源として利用したりでき、電池パックの二次電池の残容量が減少した場合にも利用できる庭木バリカンを提供することを課題とするものである。
【課題を解決するための手段】
【０００５】
上記課題を解決するために本発明に係る庭木バリカンは、バリカン本体１にバリカン刃３ａ、３ｂを駆動するモータ４を内装し、該バリカン本体１の電源となる電池パック６と、バリカン本体１を外部電源に接続するためのアダプターパック７を備え、電池パック６は二次電池と二次電池からの電力を出力する出力端子４４を備え、アダプターパック７は外部電源に接続可能な外部電源接続端子４１と、外部電源からの電流を交流から直流に変換する整流回路２１と、外部電源からの電力を整流回路２１を介して出力する出力端子４７と、整流回路２１を冷却する冷却ファン２８を備え、バリカン本体１に電池パック６及びアダプターパック７を着脱自在に取付け可能なパック取付部１４を設け、該パック取付部１４に前記電池パック６及びアダプターパック７のうち一方を選択的に取付可能とし、パック取付部１４に同部に取付けた電池パック６又はアダプターパック７の出力端子４４、４７に接続可能な本体側端子３７を設けて成ることを特徴とする。この構成により、バリカン本体１のパック取付部１４に電池パック６を取付けてバリカン本体１の本体側端子３７に電池パック６の出力端子４４を接続することで、電池パック６の二次電池の電力でモータ４を駆動できる。またバリカン本体１のパック取付部１４にアダプターパック７を取付けて、バリカン本体１の本体側端子３７にアダプターパック７の出力端子４７を接続し、アダプターパック７の外部電源接続端子４１を外部電源に接続することで、外部電源の電力でモータ４を駆動できる。また冷却ファン２８でアダプターパック７の整流回路２１を冷却できる。
【０００６】
また請求項２は請求項１において、前記アダプターパック７の外面部にアダプター側空気流入口５０とアダプター側空気流出口５１を設け、アダプターパック７内にアダプター側空気流入口５０とアダプター側空気流出口５１を連通せるアダプター側風路５２を形成し、該アダプター側風路５２に前記冷却ファン２８と整流回路２１を配設し、バリカン本体１の外郭を構成するハウジング１２に本体側空気流入口３１と本体側空気流出口３２を形成し、ハウジング１２内に本体側空気流入口３１と本体側空気流出口３２を連通せる本体側風路３０を形成し、該本体側風路３０内にモータ４を配設し、バリカン本体１の本体側空気流出口３２と該バリカン本体１のパック取付部１４に取付けたアダプターパック７のアダプター側空気流入口５０とを連通させ、冷却ファン２８を運転した時に外気が本体側空気流入口３１、本体側風路３０、本体側空気流出口３２、アダプター側空気流入口５０を順に介してアダプター側風路５２に導入され、この空気がアダプター側空気流出口５１から流出するようにしたことを特徴とする。この構成により、冷却ファン２８を運転した時には該冷却ファン２８によって生じる空気の流れにより本体側風路３０内のモータ４とアダプター側風路５２内の整流回路２１を冷却できる。
【０００７】
また請求項３は請求項２において、前記バリカン本体１の上部にグリップ部２９を形成すると共に該バリカン本体１の下端にバリカン刃３ａ、３ｂを設け、アダプターパック７をパック取付部１４に取付けた状態でアダプターパック７の下側を向く面部にアダプター側空気流出口５１を形成して成ることを特徴とする。アダプターパック７の下側を向く面部にアダプター側空気流出口５１を形成することで、アダプター側空気流出口５１から雨水や埃が浸入し難くなる。
【発明の効果】
【０００８】
請求項１に係る発明では、バリカン本体のパック取付部に電池パックを取付けて、電池パックの電力でモータを駆動して庭木の剪定を行える。またバリカン本体のパック取付部にアダプターパックを取付け、アダプターパックの外部電源接続端子を外部電源に接続することで、外部電源の電力でモータを駆動して庭木の剪定を行える。従って電池パック及びアダプターパックのうち一方をバリカン本体に選択的に取付け、電池パックの二次電池をモータの電源として庭木バリカンを外部電源に接続することなくコードレスで利用したり、バリカン本体をアダプターパックを介して外部電源に接続して外部電源をモータの電源として利用したりでき、この場合、電池パックの二次電池の残容量が減少した場合にも庭木バリカンを利用できるようになる。また冷却ファンでアダプターパックの整流回路を冷却でき、この場合、バリカン本体に整流回路を冷却するための冷却ファンを設ける必要がないので、バリカン本体を小型化し且つ軽量化でき、特にバリカン本体に電池パックを取付けて使用する場合には庭木バリカンを軽量化できて便利である。
【０００９】
また請求項２に係る発明では、請求項１に係る発明の効果に加えて、冷却ファンによって生じる空気の流れによりアダプター側風路内の整流回路は勿論、本体側風路内のモータも冷却できる。
【００１０】
また請求項３に係る発明では、請求項２に係る発明の効果に加えて、アダプターパックの下側を向く面部にアダプター側空気流出口を形成することで、アダプター側空気流出口から雨水や埃が浸入することを防止できる。
【発明を実施するための最良の形態】
【００１１】
以下、本発明を添付図面に示す実施形態に基づいて説明する。図１〜３に示す本発明の庭木バリカンは、バリカン刃３ａ、３ｂを駆動するモータ４を内装したバリカン本体１と、バリカン本体１に設けたパック取付部１４に着脱自在に取付けられてバリカン本体１の電源として利用される二次電池を備えた電池パック６（図２参照）と、同じくパック取付部１４に着脱自在に取付けられてバリカン本体１を外部電源に接続するために用いられるアダプターパック７（図１参照）を備えている。この庭木バリカンの利用はバリカン本体１のパック取付部１４に電池パック６又はアダプターパック７のいずれか一方を選択的に取付けて行うものであり、つまり図１に示すように電池パック６を取付けた場合には、外部電源に接続することなくコードレスで利用でき、また図２に示すようにアダプターパック７を取付けた場合には、該アダプターパック７を介してバリカン本体１を商用電源のような外部電源に接続して利用できるようになっている。そしてこのように電池パック６又はアダプターパック７をバリカン本体１に取付けた庭木バリカンは、バリカン本体１の一側である上部に形成したグリップ部２９を把持し、グリップ部２９を上側に配置し且つバリカン本体１の他側である下端に設けたバリカン刃３ａ、３ｂを下側に配置した状態で、バリカン刃３ａ、３ｂを駆動して庭木の剪定を行うものである。以下、本例の庭木バリカンについて詳述する。
【００１２】
上記バリカン刃３ａ、３ｂを備えた刃ブロック５はバリカン本体１の前端部の下端から前方に向けて突出している。刃ブロック５は、上下に２枚積層して配置した前後に長い長尺なバリカン刃３ａ、３ｂを一対の長尺な押さえ板２２ａ、２２ｂで上下から挟み、この上下の押さえ板２２ａ、２２ｂをバリカン刃３ａ、３ｂを貫通した複数のボルト３３により連結することで構成される。
【００１３】
両バリカン刃３ａ、３ｂのうち少なくとも一方は可動刃であり、可動刃は前後方向に移動自在に設けられている。可動刃の後端部は偏心位置をモータ４の駆動により回転する軸９に接続したカム８を介してモータ４に連結してあり、モータ４を駆動することで、可動刃はカム８の回転に伴い他方のバリカン刃に対して相対的に往復動し、これによりバリカン刃３ａ、３ｂの両側に形成した鋸刃状の刃部１０で刃部１０間に導入された庭木を挟み込み切断できる。ここで可動刃の移動方向は前述のカム８とバリカン刃３ａ、３ｂを貫通するボルト３３によって移動方向が規制されるものとする。なお上下のバリカン刃３ａ、３ｂは両方が互いに反対方向に往復動する可動刃であっても良いし、また一方を可動刃とすると共に他方をバリカン本体１に対して固定的に設けられる固定刃としても良い。また可動刃の移動方向は少なくとも前後方向の運動成分を含むものであれば良く、前後方向に加えて左右方向の運動成分を含むものであっても良い。
【００１４】
バリカン本体１の外郭を構成するハウジング１２の前端部には略縦筒状のモータ収納部１３を形成してあり、該モータ収納部１３にモータ４を内装している。ハウジング１２の後端部にはパック取付部１４を形成してあり、パック取付部１４の上部前側とモータ収納部１３の上部後側はモータ収納部１３やパック取付部１４よりも細い横筒状のグリップ部２９で一体に接続され、またパック取付部１４の下部前側とモータ収納部１３の下部後側もグリップ部２９の下方に位置する接続部１５により一体に接続されている。またハウジング１２のモータ収納部１３の前方には両端をモータ収納部１３の両側面に接続した補助グリップ部１６を配設してあり、グリップ部２９及び補助グリップ部１６を両手で把持して庭木バリカンを持つことが可能となっている。またモータ収納部１３の前面下端部からはモータ収納部１３の前方に位置する保護カバー１７を立設してあり、該保護カバー１７により切断した庭木がグリップ部２９や補助グリップ部１６を把持した手に当たることを防止している。
【００１５】
図３に示すようにハウジング１２の後端面となるパック取付部１４の後面には電池パック６及びアダプターパック７のいずれも嵌込可能な嵌込凹所３６を形成してあり、該嵌込凹所３６の奥部における両側の内側面には電力入力用の本体側端子３７を設けている。ハウジング１２のモータ収納部１３の上面部からグリップ部２９に亘る部分の上面には操作部２５を設けてあり、操作部２５でグリップ部２内部に設けたモータ４のＯＮ・ＯＦＦを切替えるための切替スイッチ２５ａを切替えられるようにしている。本体側端子３７はハウジング１２の内部の電線３８により切替スイッチ２５ａを介してモータ４に接続してあり、これにより切替スイッチ２５ａのＯＮ・ＯＦＦを切替えてモータ４のＯＮ・ＯＦＦを切替え可能としている。なお図中２７は切替スイッチ２５ａ及びモータ４間に設けたブレーカ２７であり、該ブレーカ２７によりモータ４に過剰な負荷がかかることを防止している。
【００１６】
電池パック６は図２に示すように二次電池（図示せず）を内装したパック本体４２を備えている。パック本体４２からは前述のバリカン本体１の嵌込凹所３６に嵌め込み可能な嵌込突部４３を前方に向けて突設している。嵌込突部４３の両側面における本体側端子３７に対応する位置には前記二次電池からの電力を出力する出力端子４４を設けてあり、嵌込突部４３を嵌込凹所３６に嵌め込んでパック取付部１４に電池パック６を取付けた場合、出力端子４４は本体側端子３７に接触して電気接続されるようになっている。なお上記電池パック６の二次電池の充電は例えば前述の出力端子４４を外部電源に接続した充電器に接続するなどして行われるものとする。
【００１７】
アダプターパック７は図１に示すように外部電源からの電流を交流から直流に変換する整流回路２１を内装したパック本体４５を備えている。パック本体４５には一端にプラグ３９を設けた電源コード４０の他端を接続してあり、該電源コード４０のプラグ３９に設けた一対の栓刃４１ａを図示しないコンセントの刃受け等に直接接続すればアダプターパック７は外部電源に接続される。つまりプラグ３９の栓刃４１ａが外部電源に接続可能な外部電源接続端子４１となっている。
【００１８】
パック本体４５からは前述の電池パック６の嵌込突部４３と略同一形状の嵌込突部４６を前方に向けて突設してあり、該嵌込突部４６もバリカン本体１の嵌込凹所３６に嵌め込み可能となっている。嵌込突部４６の両側面における本体側端子３７に対応する位置には出力端子４７を設けてあり、嵌込突部４６を嵌込凹所３６に嵌め込んでパック取付部１４にアダプターパック７を取付けた場合、出力端子４７は本体側端子３７に接触して電気接続されるようになっている。
【００１９】
電源コード４０のプラグ３９と反対側の端部はアダプターパック７内において前記整流回路２１を介して出力端子４７に接続されている。従って外部電源接続端子４１を外部電源に接続して電力を供給すると、外部電源からの電流が整流回路２１で交流から直流に変換され、この直流電流が出力端子４７から出力されることとなる。出力端子４７からの電流の出力は電池パック６の出力端子４４からの電流の出力と同等出力となるように設定されている。
【００２０】
またパック本体４５の後面にはＬＥＤからなる発光体２６を設けている。発光体２６はアダプターパック７に外部電源からの交流電流が入力されると点灯し、それ以外は消灯するようになっており、使用者は外部電源からの電力がアダプターパック７に供給されているか否かを発光体２６の発光を見て認識できるようになっている。なお図１中２８はパック本体４５に内装した冷却ファン２８であるが、この冷却ファン２８については後述する。
【００２１】
しかして上記庭木バリカンにあっては、バリカン本体１のパック取付部１４に電池パック６を取付けることで、バリカン本体１の本体側端子３７に電池パック６の出力端子４４が接続され、この状態で切替スイッチ２５ａをＯＮにすることで、電池パック６の二次電池の電力でモータ４を駆動して庭木の剪定を行える。またバリカン本体１のパック取付部１４にアダプターパック７を取付けることで、バリカン本体１の本体側端子３７にアダプターパック７の出力端子４７が接続され、このアダプターパック７の外部電源接続端子４１を外部電源に接続し、この状態で切替スイッチ２５ａをＯＮにすることで、外部電源の電力でモータ４を駆動して電池パック６を取付けた時と同様に庭木の剪定を行える。従って本発明では電池パック６及びアダプターパック７のうち一方をバリカン本体１に選択的に取付け、電池パック６の二次電池をモータ４の電源として庭木バリカンを外部電源に接続することなく利用したり、バリカン本体１をアダプターパック７を介して外部電源に接続して外部電源をモータ４の電源として利用したりでき、これにより電池パック６の二次電池の残容量が減少した場合にも庭木バリカンを利用できる。
【００２２】
また本例のアダプターパック７には図１に示すように整流回路２１を冷却するための冷却ファン２８を設けてあり、以下冷却ファン２８により整流回路２１を冷却するための構成について説明する。
【００２３】
アダプターパック７の外面部にはアダプター側空気流入口５０とアダプター側空気流出口５１を設けている。アダプター側空気流入口５０は嵌込突部４６の先端面に形成した複数のスリット状の孔からなる。またアダプター側空気流出口５１はアダプターパック７をパック取付部１４に取付けた状態で下側を向く面部となるパック本体４５の下面に形成した複数のスリット状の孔からなり、該アダプター側空気流出口５１は冷却ファン２８に対応する位置に形成されている。アダプター側空気流出口５１をアダプターパック７の下側を向く面部に形成したのは、アダプター側空気流出口５１からアダプターパック内３５に雨や埃が侵入することを防止するためである。
【００２４】
アダプターパック７内には上記アダプター側空気流入口５０とアダプター側空気流出口５１を連通せるアダプター側風路５２を形成してあり、該アダプター側風路５２に整流回路２１と冷却ファン２８を配設してある。ここで冷却ファン２８は外部電源接続端子４１より供給された電力を電源とするものであり、パック本体４５の後部に配設され整流回路２１と対向している。
【００２５】
また上記アダプターパック７が取付けられるバリカン本体１のハウジング１２には本体側空気流入口３１と本体側空気流出口３２を形成している。ハウジング１２内には本体側空気流入口３１と本体側空気流出口３２を連通せる本体側風路３０を形成し、該本体側風路３０にモータ４を配設している。本体側空気流入口３１はモータ収納部１３の前面部の上部に形成した複数のスリット状の孔からなり、この孔は奥側程上方に位置するように傾斜している。本体側空気流入口３１を構成する孔を奥側程上方に位置するように傾斜したのは、本体側空気流入口３１からハウジング１２内に雨や埃が侵入することを防止するためである。
【００２６】
本体側空気流出口３２はパック取付部１４の嵌込凹所３６の奥面に形成した孔からなり、パック取付部１４にアダプターパック７を取付けた状態で、バリカン本体１の本体側空気流出口３２とアダプターパック７のアダプター側空気流入口５０とが連通するようになっている。
【００２７】
上記冷却ファン２８はアダプターパック７をバリカン本体１に取付けて該アダプターパック７の外部電源接続端子４１を外部電源に接続した状態で、切替スイッチ２５ａをＯＮにした場合に駆動するように設定してある。このように冷却ファン２８を運転した時は、外気が本体側空気流入口３１を介して本体側風路３０に流入し、この空気はモータ４を通過し、本体側空気流出口３２及びアダプター側空気流入口５０を順に介してアダプターパック７内のアダプター側風路５２に導入され、この後、整流回路２１を通過してアダプター側空気流出口５１から流出する。この場合、冷却ファン２８によって流れる空気はモータ４及び整流回路２１を通過するので、この空気によりモータ４及び整流回路２１を冷却してこれらが高温になることを防止できる。またこの場合、バリカン本体１に整流回路２１を冷却するための冷却ファン２８を設ける必要がないので、バリカン本体１を小型化し且つ軽量化でき、バリカン本体１に電池パック６を取付けて使用する場合に庭木バリカンを軽量化できて使い勝手が良い。
【図面の簡単な説明】
【００２８】
【図１】本発明の実施の形態の一例を示すものであり、（ａ）はバリカン本体にアダプターパックを取付けた庭木バリカンの側断面図であり、（ｂ）は（ａ）の平面図であり、（ｃ）は（ａ）のＡ−Ａ断面図であり、（ｄ）は突出部の下面図である。
【図２】（ａ）はバリカン本体に電池パックを取付けた庭木バリカンの側断面図であり、（ｂ）は（ａ）の平面図である。
【図３】（ａ）はバリカン本体の側断面図であり、（ｂ）は（ａ）の平面図である。
【符号の説明】
【００２９】
１  バリカン本体
３ａ  バリカン刃
３ｂ  バリカン刃
４  モータ
６  電池パック
７  アダプターパック
１４  パック取付部
２１  整流回路
３７  本体側接続端子
４１  外部電源接続端子
４４  出力端子（電池パック）
４７  出力端子（アダプターパック）
【図１】
2008086090.tif 000003
【図２】
2008086090.tif 000004
【図３】
2008086090.tif 000005